(57)【要約】【課題】  インクジェット記録装置を用いて複写されたときに複写物であることが認識される印刷出力を行なうことが必要になってきている。【解決手段】  記録液の液滴を吐出して多値のドットを形成可能なインクジェット記録装置５００に対して出力する印刷画像データを生成するプリンタドライバ４１１は、原稿となる画像にＣＭＭ、ＢＧ／ＵＣＲ／γ補正、中間処理などの画像処理を行ってインクジェット記録装置５００で出力可能な多値ドットに応じた原稿画像データに変換し、この原稿画像データと地紋パターン生成部４１９からの複写を禁止する文書であることを示す画像パターンの多値のデータとを原稿・地紋パターン合成部４１８で重ね合わせてインクジェット記録装置５００で出力可能な多値のドットに応じた印刷画像データを生成する。【選択図】  図１２
2006261876.tif 000002
【特許請求の範囲】
【請求項１】
記録液の液滴を吐出して多値のドットを形成可能なインクジェット記録装置で印刷出力する印刷画像データを生成する画像処理方法であって、原稿となる画像に画像処理を行って前記インクジェット記録装置で出力可能な多値のドットに応じた原稿画像データに変換し、この原稿画像データと複写を禁止する文書であることを示す画像パターンの多値のドットに応じたデータとを重ね合わせて前記インクジェット記録装置で印刷出力可能な多値のドットに応じた印刷画像データを生成することを特徴とする画像処理方法。
【請求項２】
記録液の液滴を吐出して多値のドットを形成可能なインクジェット記録装置で印刷出力する印刷画像データを生成する画像処理方法であって、原稿となる画像と複写を禁止する文書であることを示す画像パターンとを合成し、この合成した画像に画像処理を行って前記インクジェット記録装置で出力可能な多値のドットに応じた印刷画像データを生成することを特徴とする画像処理方法。
【請求項３】
請求項２に記載の画像処理方法において、前記画像パターンは前記原稿画像の背景側のみに形成されるように合成することを特徴とする画像処理方法。
【請求項４】
請求項１ないし３のいずれかに記載の画像処理方法において、前記画像パターンは、印刷出力で使用されるドットが原稿を複写する複写装置が再現できる画像濃度又はドットサイズであるパターンであることを特徴とする画像処理方法。
【請求項５】
請求項１ないし４のいずれかに記載の画像処理方法において、前記画像パターンは、印刷出力時に少なくとも２つの異なるドットサイズで形成されるパターンであることを特徴する画像処理方法。
【請求項６】
請求項１ないし４のいずれかに記載の画像処理方法において、前記画像パターンは、印刷出力時に少なくとも２つの異なるドットサイズ及び配列密度で形成されるパターンであることを特徴する画像処理方法。
【請求項７】
請求項５又は６に記載の画像処理方法において、前記画像パターンは、印刷出力時に一色の少なくとも２つの異なるドットサイズのドットで形成されるパターンであることを特徴とする画像処理方法。
【請求項８】
記録液の液滴を吐出して多値のドットを形成可能なインクジェット記録装置で印刷出力する印刷画像データを生成する処理をコンピュータに実行させるプログラムであって、前記請求項１ないし７のいずれかに記載の画像処理方法に係る手順をコンピュータに実行させることを特徴とするプログラム。
【請求項９】
記録液の液滴を吐出して多値のドットを形成可能なインクジェット記録装置で印刷出力する印刷画像データを生成する処理をする画像処理装置であって、請求項１ないし７のいずれかに記載の画像処理方法を行なう手段又は請求項８に記載のプログラムを搭載していることを特徴とする画像処理装置。
【請求項１０】
記録液の液滴を吐出して多値のドットを形成可能なインクジェット記録装置において、入力された原稿となる画像と複写を禁止する文書であることを示す画像パターンとを合成する手段と、この合成した画像に画像処理を行って多値のドットに応じた印刷画像データを生成する手段とを備えていることを特徴とするインクジェット記録装置。
【請求項１１】
請求項１０に記載のインクジェット記録装置において、前記画像パターンは前記原稿画像の背景側のみに形成されるように合成することを特徴とするインクジェット記録装置。
【請求項１２】
請求項１０又は１１に記載のインクジェット記録装置において、前記画像パターンは、印刷出力で使用されるドットが原稿を複写する複写装置が再現できる画像濃度又はドットサイズであるパターンであることを特徴とするインクジェット記録装置。
【請求項１３】
請求項１０ないし１２のいずれかに記載のインクジェット記録装置において、前記画像パターンは、印刷出力時に少なくとも２つの異なるドットサイズで形成されるパターンであることを特徴するインクジェット記録装置。
【請求項１４】
請求項１０ないし１２のいずれかに記載のインクジェット記録装置において、前記画像パターンは、印刷出力時に少なくとも２つの異なるドットサイズ及び配列密度で形成されるパターンであることを特徴するインクジェット記録装置。
【請求項１５】
請求項１３又は１４に記載のインクジェット記録装置において、前記画像パターンは、印刷出力時に一色の少なくとも２つの異なるドットサイズのドットで形成されるパターンであることを特徴とするインクジェット記録装置。
【発明の詳細な説明】
【技術分野】
【０００１】
本発明は画像処理方法、プログラム、画像処理装置、インクジェット記録装置に関し、特に複写されたときに複写物であることが判別可能となる印刷出力を行なうための画像処理方法、プログラム、画像処理装置、インクジェット記録装置に関する。
【背景技術】
【０００２】
従来、住民票や戸籍謄本などの各種証明書及び重要書類等をはじめ、銀行券、株券、債券などの有価証券等、複写が許可されていない原稿を印刷した印刷物について、不正な複写を防止し、或いは複写されたときに複写物であることを認識、判別可能とするために、次のような方法や装置が提案されている。
【０００３】
例えば、特許文献１には目的の画像と複写を禁止する文書であることを示す画像のパターンとを重ね合わせて合成する合成手段と、この合成後の画像の画像データを所定の出力先に出力する出力手段とを備えている画像処理装置などが記載されている。
【特許文献１】特開２００４−２６０３４１号公報
【０００４】
また、特許文献２にはカラー画像データを入力する入力手段と、装置固有の識別情報を記憶する記憶手段と、入力手段により入力されたカラー画像データが示すカラー画像を複数色の可視の色材を用いて記録媒体上に可視出力させる出力手段とを有し、出力手段は、記憶手段により記憶された装置固有の識別情報を表す特定パターンを、複数色の可視の色材の内の人間の目に識別しにくい色の色材を用いて付加させる画像処理装置が記載されている。
【特許文献２】特許第２６１４３６９号公報
【０００５】
特許文献３には周波数変換（具体的にはフーリエ変換）によってデジタル画像に情報を混入する電子的すかし挿入方法が記載され、特許文献４にはハーフトーン画像にマシンが読むことのできるデジタル情報を埋め込む方法が記載されている。
【特許文献３】特許第３５２２０５６号公報
【特許文献４】特開平１１−３１３２０６号公報
【０００６】
その他、予め特殊な印刷を施した偽造防止用紙と呼ばれる用紙が用いられている。この用紙上には、複写物であることを示すマーク（例えば、「複写禁止」などの文字）が、複写機で再生可能な濃度でプリントされ、一方、背景が複写機で再生困難な濃度でプリントされている。また、マーク部と背景部の濃度は、人間の目にはマーク部と背景部を区別できにくいようなものとなっている。この原稿部以外の領域に形成されたマーク部と背景部を「地紋」と称する。
【０００７】
地紋は、原稿の情報をできるだけ損なうことなく埋め込み、複写時に複写物であることを判別可能であるパターンであることが求められ、レーザープリンターなどの電子写真記録方式では、すでに地紋パターンの印刷が実現されている。
【発明の開示】
【発明が解決しようとする課題】
【０００８】
上述した特許文献３に記載の電子的すかし挿入方法にあっては、周波数変換処理は一般的に処理量が多く、実用には困難を伴うという課題があり、また、特許文献４に記載のハーフトーン画像に情報を埋め込むための方法にあっては、印刷（ハーフトーン）画像に情報を埋め込むことができるが、ハーフトーン画像を生成するための文書画像のような２値画像には適用できないという課題がある。そこで、特許文献１に記載のように目的の画像と複写を禁止する文書であることを示す画像のパターンとを重ね合わせて合成して出力し、あるいは、特許文献２に記載のように装置固有の識別情報を表す特定パターンを付加することで、これらの課題には対応することができる。
【０００９】
ところが、画像形成装置としては、電子写真方式の用いた装置だけでなく、近年は、記録液（インク）を吐出する液体吐出ヘッドを記録ヘッドに用いたインクジェット記録方式の画像形成装置（インクジェット記録装置）が普及している。インクジェット記録装置は、周知のように、液滴を吐出するノズルが連通する液室のインクを加圧する圧力を発生する圧力発生手段を備えた液体吐出ヘッドを記録ヘッドに用いて、液体吐出ヘッドの圧力発生手段を画像情報に応じて駆動することで液室内インクに圧力を与え、ノズルから液滴を吐出させ、紙やフィルムなどの被記録媒体に付着させて画像を形成（印刷）する。
【００１０】
このようなインクジェット記録方式による印刷と電子写真方式による印刷とでは、形成できるドット位置やドットサイズ、被記録媒体上でのドットの広がりなどで差異がある。つまり、電子写真方式ではドットを略任意の位置に形成することができるのに対して、インクジェット記録方式では形成できるドット位置が記録ヘッドのノズルピッチと駆動周波数による制限を受けることになる。また、電子写真方式では被記録媒体に転移したトナーが被記録媒体に浸透してドットが広がるというようなことがないのに対し、インクジェット記録方式では記録液が着弾後被記録媒体に浸透するためにドットの広がりが生じる。
【００１１】
そのため、記録液滴を吐出して画像を形成（印刷）するインクジェット記録装置を用いて印刷出力を行なう場合に、特許文献１或いは特許文献２に記載されているような複写を禁止する文書であることを示す画像のパターン或いは装置固有の識別情報を表す特定パターンをどのようにして出力させるかが課題になってくるのである。
【００１２】
本発明は上記の課題に鑑みてなされたものであり、インクジェット記録装置を用いて複写されたときに複写物であることが判別可能になる印刷出力を行なうための画像処理方法、プログラム、画像処理装置を提供し、また、複写されたときに複写物であることが判別可能になる印刷出力を行なうインクジェット記録装置を提供することを目的とする。
【課題を解決するための手段】
【００１３】
上記の課題を解決するため、本発明に係る画像処理方法は、記録液の液滴を吐出して多値のドットを形成可能なインクジェット記録装置で印刷出力する印刷画像データを生成する画像処理方法であって、原稿となる画像に画像処理を行ってインクジェット記録装置で出力可能な多値のドットに応じた原稿画像データに変換し、この原稿画像データと複写を禁止する文書であることを示す画像パターンの多値のドットに応じたデータとを重ね合わせてインクジェット記録装置で出力可能な多値のドットに応じた印刷画像データを生成する構成とした。
【００１４】
また、本発明に係る画像処理方法は、記録液の液滴を吐出して多値のドットを形成可能なインクジェット記録装置に対して出力する印刷画像データを生成する画像処理方法であって、原稿となる画像と複写を禁止する文書であることを示す画像パターンとを合成し、この合成した画像に画像処理を行ってインクジェット記録装置で出力可能な多値のドットに応じた印刷画像データを生成する構成とした。
【００１５】
この場合、画像パターンの画像は原稿画像の背景側のみに形成されるように合成することが好ましい。
【００１６】
これらの本発明に係る画像処理方法において、画像パターンは、印刷出力で使用されるドットが原稿を複写する複写装置が再現できる画像濃度又はドットサイズであるパターン、或いは、印刷出力時に少なくとも２つの異なるドットサイズで形成されるパターン、印刷出力時に少なくとも２つの異なるドットサイズ及び配列密度で形成されるパターンであることが好ましく、また、印刷出力時の少なくとも２つの異なるドットサイズのドットが一色であることが好ましい。
【００１７】
本発明に係るプログラムは、記録液の液滴を吐出して多値のドットを形成可能なインクジェット記録装置で印刷出力する印刷画像データを生成する処理をコンピュータに実行させるプログラムであって、本発明に係る画像処理方法に係る手順をコンピュータに実行させる構成とした。
【００１８】
本発明に係る画像処理装置は、記録液の液滴を吐出して多値のドットを形成可能なインクジェット記録装置で印刷出力する印刷画像データを生成する処理をする画像処理装置であって、本発明に係る画像処理方法を行なう手段又は本発明に係るプログラムを搭載している構成とした。
【００１９】
本発明に係るインクジェット記録装置は、記録液の液滴を吐出して多値のドットを形成可能なインクジェット記録装置であって、入力された原稿となる画像と予め作成された複写を禁止する文書であることを示す画像パターンとを合成する手段と、この合成した画像に画像処理を行って多値のドットに応じた印刷画像データを生成する手段とを備えている構成とした。
【００２０】
この場合、画像パターンの画像は原稿画像の背景側のみに形成されるように合成することが好ましい。
【００２１】
ここで、本発明に係るインクジェット記録装置において、画像パターンは、印刷出力で使用されるドットが原稿を複写する複写装置が再現できる画像濃度又はドットサイズであるパターン、或いは、印刷出力時に少なくとも２つの異なるドットサイズで形成されるパターン、印刷出力時に少なくとも２つの異なるドットサイズ及び配列密度で形成されるパターンであることが好ましく、また、印刷出力時の少なくとも２つの異なるドットサイズのドットが一色であることが好ましい。
【発明の効果】
【００２２】
本発明に係る画像処理方法によれば、記録液の液滴を吐出して多値のドットを形成可能なインクジェット記録装置で印刷出力する印刷画像データを生成する画像処理方法であって、原稿となる画像に画像処理を行ってインクジェット記録装置で出力可能な多値のドットに応じた原稿画像データに変換し、この原稿画像データと複写を禁止する文書であることを示す画像パターンの多値のデータとを重ね合わせてインクジェット記録装置で出力可能な多値のドットに応じた印刷画像データを生成する構成とし、あるいは、原稿となる画像と複写を禁止する文書であることを示す画像パターンとを合成し、この合成した画像に画像処理を行ってインクジェット記録装置で出力可能な多値のドットに応じた印刷画像データを生成する構成としたので、インクジェット記録装置を用いて複写されたときに複写物であることを判別可能な印刷出力を行なうことができるようになる。
【００２３】
本発明に係るプログラムによれば、本発明に係る画像処理方法に係る手順をコンピュータに実行させ、また、本発明に係る画像処理装置によれば、本発明に係る画像処理方法を実行する手段又は本発明に係るプログラムを搭載しているので、インクジェット記録装置を用いて複写されたときに複写物であることを判別可能な印刷出力を行なうことができるようになる。
【００２４】
本発明に係るインクジェット記録装置によれば、入力された原稿となる画像と予め作成された複写を禁止する文書であることを示す画像パターンとを合成する手段と、この合成した画像に画像処理を行って多値のドットに応じた印刷画像データを生成する手段とを備えている構成としたので、複写されたときに複写物であることを判別可能な印刷出力を行なうことができる。
【発明を実施するための最良の形態】
【００２５】
以下、本発明の実施の形態について添付図面を参照して説明する。まず、多値ドットを形成可能なインクジェット記録装置の一例の機構部について図１及び図２を参照して説明する。なお、図１は同インクジェット記録装置の全体構成を説明する側面説明図、図２は同じく概略平面説明図である。
【００２６】
このインクジェット記録装置は、フレーム１を構成する左右の側板１Ａ、１Ｂに横架したガイド部材であるガイドロッド２とステー３とでキャリッジ４を主走査方向に摺動自在に保持し、主走査モータ５によって駆動プーリ６Ａと従動プーリ６Ｂ間に架け渡したタイミングベルト７を介して図２で矢示方向（主走査方向）に移動走査する。
【００２７】
このキャリッジ４には、例えばイエロー（Ｙ）、シアン（Ｃ）、マゼンタ（Ｍ）、ブラック（Ｂｋ）の各色のインク滴を吐出する４個の液滴吐出ヘッド１１ｋ、１１ｃ、１１ｍ、１１ｙからなる記録ヘッド１１を複数のインク吐出口（ノズル）を形成したノズル面１１ａのノズル列を主走査方向と直交する方向（副走査方向）に配列し、インク吐出方向を下方に向けて装着している。なお、ここでは独立した液滴吐出ヘッドを用いているが、各色の記録液の液滴を吐出する複数のノズル列を有する１又は複数のヘッドを用いる構成とすることもできる。また、色の数及び配列順序はこれに限るものではない。
【００２８】
ここでは、記録ヘッド１１は上述したように各色の液滴を吐出する別個の４個のヘッド１１ｋ、１１ｃ、１１ｍ、１１ｙで構成し、各ヘッド１１ｋ、１１ｃ、１１ｍ、１１ｙには図３に示すようにそれぞれ液滴を吐出する複数のノズルｎを並べて配置してなるノズル列を２列（各ノズル列をノズル列ＮＡ、ＮＢとする。）有する構成としている。これに限らず、図４に示すように、１つの記録ヘッド１１に、各色の液滴を吐出するそれぞれ２列のノズル列１１ｋＡ、１１ｋＢ、１１ｃＡ、１１ｃＢ、１１ｍＡ、１１ｍＢ、１１ｙＡ、１１ｙＢを配置した構成することもできるし、ブラックインクを吐出する１又は複数のノズル列を有するヘッドと、カラーインクを吐出する各色で１又は複数のノズル列を有するヘッドとで構成することもできる。
【００２９】
記録ヘッド１１を構成するインクジェットヘッド（液体吐出ヘッド）としては、圧電素子などの圧電アクチュエータを、液滴を吐出するための圧力を発生する圧力発生手段（アクチュエータ手段）として備えたものを使用している。すなわち、圧力発生手段として、気泡を発生させるための発熱抵抗体を用いたサーマル型の場合には、気泡の体積を精度よく制御することが困難であって形成できるドットサイズを大きく変化させることができず、基本的には２値のドットサイズであり、一般的には形成するドット数で階調を表現せざるを得ない。これに対して、圧電アクチュエータを用いた場合には、圧電素子の変位量を精度良くコントロールすることができ、形成するドットの大きさを大きく変化させることができてドットサイズによって多階調を表現することができる。この場合、ドット径を変更する、つまり、多値のドットを形成するには、例えば、駆動パルスの電圧の大きさ、駆動パルスのパルス幅、パルス数などを変更することによって行なうことができる。
【００３０】
この記録ヘッド１１にはドライバＩＣを搭載し、図示しない制御部との間でハーネス（フレキシブルプリントケーブル：ＦＰＣケーブル）１２を介して接続している。
【００３１】
また、キャリッジ４には、記録ヘッド１１に各色のインクを供給するための各色のサブタンク１５を搭載している。この各色のサブタンク１５には各色のインク供給チューブ１６を介して、カートリッジ装填部９に装着された各色のインクカートリッジ１０から各色のインクが補充供給される。なお、このカートリッジ装填９にはインクカートリッジ１０内のインクを送液するための供給ポンプユニット１７が設けられ、また、インク供給チューブ１６は這い回しの途中でフレーム１を構成する後板１Ｃに係止部材１８にて保持されている。
【００３２】
一方、給紙トレイ２０の用紙積載部（圧板）２１上に積載した用紙２２を給紙するための給紙部として、用紙積載部２１から用紙２２を１枚ずつ分離給送する半月コロ（給紙コロ）２３及び給紙コロ２３に対向し、摩擦係数の大きな材質からなる分離パッド２４を備え、この分離パッド２４は給紙コロ２３側に付勢されている。
【００３３】
そして、この給紙部から給紙された用紙２２を記録ヘッド１１の下方側に送り込むために、用紙２２を案内するガイド部材２５と、カウンタローラ２６と、搬送ガイド部材２７と、先端加圧コロ２９を有する押さえ部材２８とを備えるとともに、給送された用紙２２を静電吸着して記録ヘッド１１に対向する位置で搬送するための搬送手段である搬送ベルト３１を備えている。
【００３４】
この搬送ベルト３１は、無端状ベルトであり、搬送ローラ３２とテンションローラ３３との間に掛け渡されて、ベルト搬送方向（副走査方向）に周回するように構成し、周回移動しながら帯電ローラ３４によって帯電（電荷付与）される。
【００３５】
この搬送ベルト３１としては、１層構造のベルトでも良く、又は複層（２層以上の）構造のベルトでもよい。１層構造の搬送ベルト３１の場合には、用紙３２や帯電ロー３４に接触するので、層全体を絶縁材料で形成している。また、複層構造の搬送ベルト３１の場合には、用紙２２や帯電ローラ３４に接触する側は絶縁層で形成し、用紙２２や帯電ローラ３４と接触しない側は導電層で形成することが好ましい。
【００３６】
１層構造の搬送ベルト３１を形成する絶縁材料や複層構造の搬送ベルト３１の絶縁層を形成する絶縁材料としては、例えばＰＥＴ、ＰＥＩ、ＰＶＤＦ、ＰＣ、ＥＴＦＥ、ＰＴＦＥなどの樹脂又はエラストマーで導電制御材を含まない材料であることが好ましく、体積抵抗率は１０１２Ωｃｍ以上、好ましくは１０１５Ωｃｍなるように形成する。また、複層構造の搬送ベルト３１の導電層を形成する材料としては、上記樹脂やエラストマーにカーボンを含有させて体積抵抗率が１０５〜１０７Ωｃｍとなるように形成することが好ましい。
【００３７】
帯電ローラ３４は、搬送ベルト３１の表層をなす絶縁層（複層構造のベルトの場合）に接触し、搬送ベルト３１の回動に従動して回転するように配置され、軸の両端に加圧力をかけている。この帯電ローラ３４は、体積抵抗率が１０６〜１０９Ω／□の導電性部材で形成している。この帯電ローラ３４には、後述するように、ＡＣバイアス供給部（高圧電源）から例えば２ｋＶの正負極のＡＣバイアス（高電圧）が印加される。このＡＣバイアスは、正弦波や三角波でもよいが、方形波の方がより好ましい。
【００３８】
また、搬送ベルト３１の裏側には、記録ヘッド１１による印写領域に対応してガイド部材３５を配置している。このガイド部材３５は、上面が搬送ベルト３１を支持する２つのローラ（搬送ローラ３２とテンションローラ３３）の接線よりも記録ヘッド１１側に突出させることで搬送ベルト３１の高精度な平面性を維持するようにしている。
【００３９】
この搬送ベルト３１は、副走査モータ３６によって駆動ベルト３７及びタイミングローラ３８を介して搬送ローラ３２が回転駆動されることによって図２のベルト搬送方向に周回移動する。なお、図示しないが、搬送ローラ３２の軸には、スリットを形成したエンコーダホイールを取り付け、このエンコーダホイールのスリットを検知する透過型フォトセンサを設けて、これらのエンコーダホイール及びフォトセンサによってホイールエンコーダを構成している。
【００４０】
さらに、記録ヘッド１１で記録された用紙２２を排紙トレイ４０に排紙するための排紙部として、搬送ベルト３１から用紙２２を分離するための分離爪４１と、排紙ローラ４２及び排紙コロ４３とを備えている。
【００４１】
また、装置本体１の背面部には両面ユニット５１が着脱自在に装着されている。この両面ユニット５１は搬送ベルト３１の逆方向回転で戻される用紙２２を取り込んで反転させて再度カウンタローラ２６と搬送ベルト３１との間に給紙する。また、この両面ユニット５１の上面は手差しトレイ５２としている。
【００４２】
さらに、キャリッジ４の走査方向一方側の非印字領域には、記録ヘッド１１のノズルの状態を維持し、回復するための維持回復機構６１を配置している。この維持回復機構６１には、記録ヘッド１１の各ノズル面１１ａをキャピングするための各キャップ部材（以下「キャップ」という。）６２ａ〜６２ｄ（区別しないときは「キャップ６２」という。）と、ノズル面１１ａをワイピングするためのブレード部材であるワイパーブレード６３と、増粘した記録液を排出するために記録に寄与しない液滴を吐出させる空吐出を行なうときの液滴を受ける空吐出受け６４などを備えている。ここでは、キャップ６２ａを吸引及び保湿用キャップとし、他のキャップ６２ｂ〜６２ｄは保湿用キャップとしている。
【００４３】
また、キャリッジ４の走査方向他方側の非印字領域には、記録中などに増粘した記録液を排出するために記録に寄与しない液滴を吐出させる空吐出を行なうときの液滴を受ける空吐出受け６８を配置し、この空吐出受け６８には記録ヘッド１１のノズル列方向に沿った開口６９などを備えている。
【００４４】
また、図１に示すように、キャリッジ４には用紙２２の有無を検知するための媒体検知手段である赤外線センサ（センサの種類は、赤外線センサに限定するものではない。）からなる濃度センサ７１を設けている。また、この濃度センサ７１はキャリッジ４がホーム位置にあるときに記録領域（画像形成領域）側（搬送ベルト３１側）に位置する側で、記録ヘッド１１よりも用紙搬送方向上流側に設けている。
【００４５】
さらに、キャリッジ４の前方側には、スリットを形成したエンコーダスケール７２を主走査方向に沿って設け、キャリッジ４の前面側にはエンコーダスケール７２のスリットを検出する透過型フォトセンサからなるエンコーダセンサ７３を設け、これらによって、キャリッジ４の主走査方向位置を検知するためのリニアエンコーダ７４を構成している。
【００４６】
次に、このインクジェット記録装置における記録ヘッドを構成する液滴吐出ヘッドの一例について図５及び図６を参照して説明する。なお、図５は同ヘッドの液室長手方向に沿う断面説明図、図６は同ヘッドの液室短手方向（ノズルの並び方向）の断面説明図である。
【００４７】
この液滴吐出ヘッドは、例えば単結晶シリコン基板を異方性エッチングして形成した流路板１０１と、この流路板１０１の下面に接合した例えばニッケル電鋳で形成した振動板１０２と、流路板１０１の上面に接合したノズル板１０３とを接合して積層し、これらによって液滴（インク滴）を吐出するノズル１０４が連通する流路であるノズル連通路１０５及び液室１０６、液室１０６にインクを供給するための共通液室１０８に連通するインク供給口１０９などを形成している。
【００４８】
また、振動板１０２を変形させて液室１０６内のインクを加圧するための圧力発生手段（アクチュエータ手段）である電気機械変換素子としての２列（図６では１列のみ図示）の積層型圧電素子１２１と、この圧電素子１２１を接合固定するベース基板１２２とを備えている。なお、圧電素子１２１の間には支柱部１２３を設けている。この支柱部１２３は圧電素子部材を分割加工することで圧電素子１２１と同時に形成した部分であるが、駆動電圧を印加しないので単なる支柱となる。
【００４９】
また、圧電素子１２１には図示しない駆動回路（駆動ＩＣ）を搭載したＦＰＣケーブル１２を接続している。
【００５０】
そして、振動板１０２の周縁部をフレーム部材１３０に接合し、このフレーム部材１３０には、圧電素子１２１及びベース基板１２２などで構成されるアクチュエータユニットを収納する貫通部１３１及び共通液室１０８となる凹部、この共通液室１０８に外部からインクを供給するためのインク供給穴１３２を形成している。このフレーム部材１３０は、例えばエポキシ系樹脂などの熱硬化性樹脂或いはポリフェニレンサルファイトで射出成形により形成している。
【００５１】
ここで、流路板１０１は、例えば結晶面方位（１１０）の単結晶シリコン基板を水酸化カリウム水溶液（ＫＯＨ）などのアルカリ性エッチング液を用いて異方性エッチングすることで、ノズル連通路１０５、液室１０６となる凹部や穴部を形成したものであるが、単結晶シリコン基板に限られるものではなく、その他のステンレス基板や感光性樹脂などを用いることもできる。
【００５２】
振動板１０２は、ニッケルの金属プレートから形成したもので、例えばエレクトロフォーミング法（電鋳法）で作製しているが、この他、金属板や金属と樹脂板との接合部材などを用いることもできる。この振動板１０２に圧電素子１２１及び支柱部１２３を接着剤接合し、更にフレーム部材１３０を接着剤接合している。
【００５３】
ノズル板１０３は各液室１０６に対応して直径１０〜３０μｍのノズル１０４を形成し、流路板１０１に接着剤接合している。このノズル板１０３は、金属部材からなるノズル形成部材の表面に所要の層を介して最表面に撥水層を形成したものである。なお、このノズル板１０３の表面が前述したノズル面３４ａとなる。
【００５４】
圧電素子１２１は、圧電材料１５１と内部電極１５２とを交互に積層した積層型圧電素子（ここではＰＺＴ）である。この圧電素子１２１の交互に異なる端面に引き出された各内部電極１５２には個別電極１５３及び共通電極１５４が接続されている。なお、この実施形態では、圧電素子１２１の圧電方向としてｄ３３方向の変位を用いて液室１０６内インクを加圧する構成としているが、圧電素子１２１の圧電方向としてｄ３１方向の変位を用いて加圧液室１０６内インクを加圧する構成とすることもできる。また、１つの基板１２２に１列の圧電素子１２１が設けられる構造とすることもできる。
【００５５】
このように構成した液滴吐出ヘッドヘッドにおいては、例えば圧電素子１２１に印加する電圧を基準電位から下げることによって圧電素子１２１が収縮し、振動板１０２が下降して液室１０６の容積が膨張することで、液室１０６内にインクが流入し、その後圧電素子１２１に印加する電圧を上げて圧電素子１２１を積層方向に伸長させ、振動板１０２をノズル１０４方向に変形させて液室１０６の容積／体積を収縮させることにより、液室１０６内の記録液が加圧され、ノズル１０４から記録液の滴が吐出（噴射）される。
【００５６】
そして、圧電素子１２１に印加する電圧を基準電位に戻すことによって振動板１０２が初期位置に復元し、液室１０６が膨張して負圧が発生するので、このとき、共通液室１０８から液室１０６内に記録液が充填される。そこで、ノズル１０４のメニスカス面の振動が減衰して安定した後、次の液滴吐出のための動作に移行する。
【００５７】
なお、このヘッドの駆動方法については上記の例（引き−押し打ち）に限るものではなく、駆動波形の与えた方によって引き打ちや押し打ちなどを行なうこともできる。
【００５８】
以上のように構成したインクジェット記録装置においては、給紙部から用紙２２が１枚ずつ分離給紙され、略鉛直上方に給紙された用紙２２はガイド２５で案内され、搬送ベルト３１とカウンタローラ２６との間に挟まれて搬送され、更に先端を搬送ガイド２７で案内されて先端加圧コロ２９で搬送ベルト３１に押し付けられ、略９０°搬送方向を転換される。
【００５９】
このとき、後述するＡＣバイアス供給部から帯電ローラ３４に対してプラス出力とマイナス出力とが交互に繰り返すように、つまり交番する電圧が印加され、搬送ベルト３１が交番する帯電電圧パターン、すなわち、周回方向である副走査方向に、プラスとマイナスが所定の幅で帯状に交互に帯電されたものとなる。このプラス、マイナス交互に帯電した搬送ベルト３１上に用紙３２が給送されると、用紙２２が搬送ベルト３１に静電力で吸着され、搬送ベルト３１の周回移動によって用紙２２が副走査方向に搬送される。
【００６０】
そこで、キャリッジ４を移動させながら画像信号に応じて記録ヘッド１１を駆動することにより、停止している用紙２２にインク滴を吐出して１行分を記録し、用紙２２を所定量搬送後、次の行の記録を行なう。記録終了信号又は用紙２２の後端が記録領域に到達した信号を受けることにより、記録動作を終了して、用紙２２を排紙トレイ４０に排紙する。
【００６１】
また、両面印刷の場合には、表面（最初に印刷する面）の記録が終了したときに、搬送ベルト３１を逆回転させることで、記録済みの用紙３２を両面給紙ユニット５１内に送り込み、用紙２２を反転させて（裏面が印刷面となる状態にして）再度カウンタローラ２６と搬送ベルト３１との間に給紙し、タイミング制御を行って、前述したと同様に搬送ベル３１で搬送して裏面に記録を行った後、排紙トレイ４０に排紙する。
【００６２】
次に、このインクジェット記録装置で使用している記録液（インク）について説明する。すなわち、インクジェット記録装置で複写を禁止される文書であることを示す画像を印刷する場合、用紙に付着したドットが紙の繊維に沿って浸透し、広がってしまうというインクジェット特有の問題があることから、地紋印刷を実現しようとする場合、このドットの広がりやフェザリングをできるだけ少なくするインクを使用することが好ましいのである。このようなインクとしては、次に説明するインクがある。勿論、これに限定されるものではない。
【００６３】
このインクジェット記録装置で用いるインクは、次の（１）ないし（１０）の構成を有するものであり、印字するための着色剤として顔料を使用し、それを分解、分散させるための溶剤とを必須成分とし、更に添加剤として、湿潤剤、界面活性剤、エマルジョン、防腐剤、ｐＨ調整剤とを使用する。湿潤剤１と湿潤剤２とを混合するのは各々湿潤剤の特徴を活かすためと、粘度調整が容易にできるためである。
（１）顔料（自己分散性顔料）６ｗｔ％以上
（２）湿潤剤１
（３）湿潤剤２
（４）水溶性有機溶剤
（５）アニオンまたはノニオン系界面活性剤
（６）炭素数８以上のポリオールまたはグリコールエーテル
（７）エマルジョン
（８）防腐剤
（９）ｐＨ調製剤
（10）純水
【００６４】
ここで、（１）の顔料に関しては、特にその種類を限定することなく、無機顔料、有機顔料を使用することができる。無機顔料としては、酸化チタン及び酸化鉄に加え、コンタクト法、ファーネス法、サーマル法などの公知の方法によって製造されたカーボンブラックを使用することができる。また、有機顔料としては、アゾ顔料（アゾレーキ、不溶性アゾ顔料、縮合アゾ顔料、キレートアゾ顔料などを含む）、多環式顔料（例えば、フタロシアニン顔料、ぺリレン顔料、ぺリノン顔料、アントラキノン顔料、キナクリドン顔料、ジオキサジン顔料、チオインジゴ顔料、イソインドリノン顔料、キノフラロン顔料など）、染料キレート（例えば、塩基性染料型キレート、酸性染料型キレートなど）、ニトロ顔料、ニトロソ顔料、アニリンブラックなどを使用できる。
【００６５】
これらの顔料のうち、水と親和性の良いものが好ましく用いられる。顔料の粒径は、０．０５μｍから１０μｍ以下が好ましく、さらに好ましくは１μｍ以下であり、最も好ましくは０．１６μｍ以下である。
【００６６】
インク中の着色剤としての顔料の添加量は、６〜２０重量％程度が好ましく、より好ましくは８〜１２重量％程度である。
【００６７】
好ましく用いられる顔料の具体例としては、以下のものが挙げられる。
黒色用としては、ファーネスブラック、ランプブラック、アセチレンブラック、チャンネルブラック等のカーボンブラック（C.I.ピグメントブラック７）類、または銅、鉄（C.I.ピグメントブラック１１）、酸化チタン等の金属類、アニリンブラック（C.I.ピグメントブラック１）等の有機顔料が挙げられる。
【００６８】
また、カラー用としては、C.I.ピグメントイエロー１（ファストイエローG）、３、１２（ジスアゾイエローAAA）、１３、１４、１７、２４、３４、３５、３７、４２（黄色酸化鉄）、５３、５５、８１、８３（ジスアゾイエローHR）、９５、９７、９８、１００、１０１、１０４、４０８、１０９、１１０、１１７、１２０、１３８、１５３、C.I.ピグメントオレンジ５、１３、１６、１７、３６、４３、５１、C.I.ピグメントレッド１、２、３、５、１７、２２（ブリリアントファーストスカレット）、２３、３１、３８、４８：２（パーマネントレッド２B（Ba））、４８：２（パーマネントレッド２B（Ca））、４８：３（パーマネントレッド２B（Sr））、４８：４（パーマネントレッド２B（Mn））、４９：１、５２：２、５３：１、５７：１（ブリリアントカーミン６B）、６０：１、６３：１、６３：２、６４：１、８１（ローダミン６Gレーキ）、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９、C.I.ピグメントバイオレット１（ローダミンレーキ）、３、５：１、１６、１９、２３、３８、C.I.ピグメントブルー１、２、１５（フタロシアニンブルーR）、１５：１、１５：２、１５：３（フタロシアニンブルーE）、１６、１７：１、５６、６０、６３、C.I.ピグメントグリーン１、４、７、８、１０、１７、１８、３６等がある。
【００６９】
その他顔料（例えばカーボン）の表面を樹脂等で処理し、水中に分散可能としたグラフト顔料や、顔料（例えばカーボン）の表面にスルホン基やカルボキシル基等の官能基を付加し水中に分散可能とした加工顔料等が使用できる。
【００７０】
また、顔料をマイクロカプセルに包含させ、該顔料を水中に分散可能なものとしたものであっても良い。
【００７１】
ここで、好ましい態様によれば、ブラックインク用の顔料は、顔料を分散剤で水性媒体中に分散させて得られた顔料分散液としてインクに添加されるのが好ましい。好ましい分散剤としては、従来公知の顔料分散液を調整するのに用いられる公知の分散液を使用することができる。
【００７２】
分散液としては、例えば以下のものが挙げられる。
ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体−アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等が挙げられる。
【００７３】
また、好ましい態様によれば、これらの共重合体は重量平均分子量が３，０００〜５０，０００であるのが好ましく、より好ましくは５，０００〜３０，０００、最も好ましくは７，０００〜１５、０００である。分散剤の添加量は、顔料を安定に分散させ、他の効果を失わせない範囲で適宣添加されて良い。分散剤としては１：０．０６〜１：３の範囲が好ましく、より好ましくは１：０．１２５〜１：３の範囲である。
【００７４】
着色剤に使用する顔料は、記録用インク全重量に対して６重量％〜２０重量％含有し、０．０５μｍ〜０．１６μｍ以下の粒子径の粒子であり、分散剤により水中に分散されていて、分散剤が、分子量５，０００から１００，０００の高分子分散剤である。水溶性有機溶剤が少なくとも１種類にピロリドン誘導体、特に、２−ピロリドンを使用すると画像品質が向上する。
【００７５】
（２）〜（４）の湿潤剤１・２と、水溶性有機溶剤に関しては、インク中に水を液媒体として使用するものであるが、インクを所望の物性にし、インクの乾燥を防止するために、また、溶解安定性を向上するため等の目的で、例えば下記の水溶性有機溶剤が使用される。これら水溶性有機溶剤は複数混合して使用してもよい。湿潤剤と水溶性有機溶剤の具体例としては、例えば以下のものが挙げられる。
【００７６】
エチレングリコール、ジエチレングリコール、トリエチレングリコール、プロピレングリコール、ジプロピレングリコール、トリプロピレングリコール、テトラエチレングリコール、ヘキシレングリコール、ポリエチレングリコール、ポリプロピレングリコール、１，５−ペンタンジオール、１，６−ヘキサンジオール、グリセロール、１，２，６−ヘキサントリオール、１，２，４−ブタントリオール、１，２，３−ブタントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミイダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエタノールアミン、モノエチルアミン、ジエチルアミン、トリエチルアミン等のアミン類；ジメチルスルホキシド、スルホラン、チオジエタノール等の含硫黄化合物類；プロピレンカーボネート、炭酸エチレン等である。
【００７７】
これら有機溶媒の中でも、特にジエチレングリコール、チオジエタノール、ポリエチレングリコール２００〜６００、トリエチレングリコール、グリセロール、１，２，６−ヘキサントリオール、１，２，４−ブタントリオール、ペトリオール、１，５−ペンタンジオール、２−ピロリドン、Ｎ−メチル−２−ピロリドンが好ましい。これらは溶解性と水分蒸発による噴射特性不良の防止に対して優れた効果が得られる。
【００７８】
その他の湿潤剤としては、糖を含有してなるのが好ましい。糖類の例としては、単糖類、二糖類、オリゴ糖類（三糖類および四糖類を含む）及び多糖類が挙げられ、好ましくはグルコース、マンノース、フルクトース、リボース、キシロース、アラビノース、ガラクトース、マルトース、セロビオース、ラクトース、スクロース、トレハロース、マルトトリオースなどが挙げられる。ここで、多糖類とは広義の糖を意味し、α−シクロデキストリン、セルロースなど自然界に広く存在する物質を含む意味に用いることとする。
【００７９】
また、これらの糖類の誘導体としては、前記した糖類の還元糖（例えば、糖アルコール（一般式ＨＯＣＨ２（ＣＨＯＨ）ｎＣＨ２ＯＨ（ここでｎ＝２〜５の整数を表す。）で表される。）、酸化糖（例えば、アルドン酸、ウロン酸など）、アミノ酸、チオ酸などがあげられる。特に糖アルコールが好ましく、具体例としてはマルチトール、ソルビットなどが挙げられる。
【００８０】
これら糖類の含有量は、インク組成物の０．１〜４０重量％、好ましくは０．５〜３０重量％の範囲が適当である。
【００８１】
（５）の界面活性剤に関しても，特に限定はされないが，アニオン性界面活性剤としては、例えばポリオキシエチレンアルキルエーテル酢酸塩、ドデシルベンゼンスルホン酸塩、ラウリル酸塩、ポリオキシエチレンアルキルエーテルサルフェートの塩などが挙げられる。
【００８２】
非イオン性界面活性剤としては、例えば、ポリオキシエチレンアルキルエーテル、ポリオキシエチレンアルキルエステル、ポリオキシエチレンソルビタン脂肪酸エステル、ポリオキシエチレンアルキルフェニルエーテル、ポリオキシエチレンアルキルアミン、ポリオキシエチレンアルキルアミドなどが挙げられる。前記界面活性剤は、単独または二種以上を混合して用いることができる。
【００８３】
本発明における表面張力は紙への浸透性を示す指標であり、特に表面形成されて１秒以下の短い時間での動的表面張力を示し、飽和時間で測定される静的表面張力とは異なる。測定法としては特開昭６３−３１２３７号公報等に記載の従来公知の方法で１秒以下の動的な表面張力を測定できる方法であればいずれも使用できるが本発明ではＷｉｌｈｅｌｍｙ式の吊り板式表面張力計を用いて測定した。表面張力の値は４０ｍＪ／ｍ2以下が好ましく、より好ましくは３５ｍＪ／ｍ２以下とすると優れた定着性と乾燥性が得られる。
【００８４】
（６）の炭素数８以上のポリオールまたはグリコールエーテルに関しては、２５℃の水中において０．１〜４．５重量％未満の間の溶解度を有する部分的に水溶性のポリオールおよび／またはグリコールエーテルを記録用インク全重量に対してを０．１〜１０．０重量％添加することによって、該インクの熱素子への濡れ性が改良され、少量の添加量でも吐出安定性および周波数安定性が得られることが分かった。（ａ）２−エチル−１，３−ヘキサンジオール  溶解度：４．２％（２０℃）、（ｂ）２，２，４−トリメチル−１，３−ペンタンジオール  溶解度：２．０％（２５℃）。
【００８５】
２５℃の水中において０．１〜４．５重量％未満の間の溶解度を有する浸透剤は溶解度が低い代わりに浸透性が非常に高いという長所がある。従って、２５℃の水中において０．１〜４．５重量％未満の間の溶解度を有する浸透剤と他の溶剤との組み合わせや他の界面活性剤との組み合わせで非常に高浸透性のあるインクを作製することが可能となる。
【００８６】
（７）本発明のインクには樹脂エマルジョンが添加されている方が好ましい。
樹脂エマルジョンとは、連続相が水であり、分散相が次の様な樹脂成分であるエマルジョンを意味する。分散相の樹脂成分としてはアクリル系樹脂、酢酸ビニル系樹脂、スチレン−ブタジエン系樹脂、塩化ビニル系樹脂、アクリル−スチレン系樹脂、ブタジエン系樹脂、スチレン系樹脂などが挙げられる。
【００８７】
本発明の好ましい態様によれば、この樹脂は親水性部分と疎水性部分とを併せ持つ重合体であるのが好ましい。また、これらの樹脂成分の粒子径はエマルジョンを形成する限り特に限定されないが、１５０ｎｍ程度以下が好ましく、より好ましくは５〜１００ｎｍ程度である。
【００８８】
これらの樹脂エマルジョンは、樹脂粒子を、場合によって界面活性剤とともに水に混合することによって得ることができる。
【００８９】
例えば、アクリル系樹脂またはスチレン−アクリル系樹脂のエマルジョンは、（メタ）アクリル酸エステルまたはスチレンと、(メタ)アクリル酸エステルと、場合により（メタ）アクリル酸エステルと、界面活性剤とを水に混合することによって得ることができる。樹脂成分と界面活性剤との混合の割合は、通常１０：１〜５：１程度とするのが好ましい。界面活性剤の使用量が前記範囲に満たない場合、エマルジョンとなりにくく、また前記範囲を超える場合、インクの耐水性が低下したり、浸透性が悪化する傾向があるので好ましくない。
【００９０】
前記エマルジョンの分散相成分としての樹脂と水との割合は、樹脂１００重量部に対して水６０〜４００重量部、好ましくは１００〜２００の範囲が適当である。
【００９１】
市販の樹脂エマルジョンとしては、マイクロジェルＥ−１００２、Ｅ−５００２（スチレン−アクリル系樹脂エマルジョン、日本ペイント株式会社製）、ボンコート４００１（アクリル系樹脂エマルジョン、大日本インキ化学工業株式会社製）、ボンコート５４５４（スチレン−アクリル系樹脂エマルジョン、大日本インキ化学工業株式会社製）、ＳＡＥ−１０１４（スチレン−アクリル系樹脂エマルジョン、日本ゼオン株式会社製）、サイビノールＳＫ−２００（アクリル系樹脂エマルジョン、サイデン化学株式会社製）、などが挙げられる。
【００９２】
また、樹脂エマルジョンは、その樹脂成分がインクの０．１〜４０重量％となるよう含有するのが好ましく、より好ましくは１〜２５重量％の範囲である。
【００９３】
樹脂エマルジョンは、増粘・凝集する性質を持ち、着色成分の浸透を抑制し、さらに記録材への定着を促進する効果を有する。また、樹脂エマルジョンの種類によっては記録材上で皮膜を形成し、印刷物の耐擦性をも向上させる効果を有する。
【００９４】
さらに、上記着色剤、溶媒、界面活性剤の他に従来より知られている添加剤を加えることができる。
【００９５】
例えば、防腐防黴剤としてはデヒドロ酢酸ナトリウム、ソルビン酸ナトリウム、２−ピリジンチオール−１−オキサイドナトリウム、安息香酸ナトリウム、ペンタクロロフェノールナトリウム等が本発明に使用できる。
【００９６】
ｐＨ調整剤としては、調合されるインクに悪影響をおよぼさずにｐＨを７以上に調整できるものであれば、任意の物質を使用することができる。
【００９７】
その例として、ジエタノールアミン、トリエタノールアミン等のアミン、水酸化リチウム、水酸化ナトリウム、水酸化カリウム等のアルカリ金属元素の水酸化物、水酸化アンモニウム、第４級アンモニウム水酸化物、第４級ホスホニウム水酸化物、炭酸リチウム、炭酸ナトリウム、炭酸カリウム等のアルカリ金属の炭酸塩等が挙げられる。
【００９８】
キレート試薬としては、例えば、エチレンジアミン四酢酸ナトリウム、ニトリロ三酢酸ナトリウム、ヒドロキシエチルエチレンジアミン三酢酸ナトリウム、ジエチレントリアミン五酢酸ナトリウム、ウラミル二酢酸ナトリウム等がある。
【００９９】
防錆剤としては、例えば、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等がある。
【０１００】
このように構成される、顔料、湿潤剤、炭素数８以上のポリオールまたはグリコールエーテル、アニオンまたはノニオン系界面活性剤、水溶性有機溶剤、水を少なくとも含んでなる、顔料濃度が６ｗｔ％以上で、かつインク粘度が８ｃｐ（２５℃）以上のインクを用いることにより、普通紙上へ印字したときの、良好な色調（十分な発色性、色再現性を有する）、高い画像濃度、文字・画像にフェザリング現象のない鮮明な画質を得ることができるため、後述するように、複写が禁止される文書であることを示す画像を含む印刷出力を行なった場合、コピー機でコピーしたときにドットサイズに対する再現性の違いで、マーク部がかすれてしまったり、地肌部に地肌汚れが発生したりすることがなく、鮮明に地紋（複写物であることを示すマーク部と背景部）のドットが再現できるようになる。
【０１０１】
次に、このインクジェット記録装置の制御部の概要について図７のブロック図を参照して説明する。
この制御部２００は、この装置全体の制御を司るＣＰＵ２１１と、ＣＰＵ２１１が実行するプログラム、その他の固定データを格納するＲＯＭ２０２と、画像データ等を一時格納するＲＡＭ２０３と、装置の電源が遮断されている間もデータを保持するための書き換え可能な不揮発性メモリ２０４と、画像データに対する各種信号処理、並び替え等を行なう画像処理やその他装置全体を制御するための入出力信号を処理するＡＳＩＣ２０５とを備えている。
【０１０２】
また、この制御部２００は、ホスト側とのデータ、信号の送受を行なうためのＩ／Ｆ２０６と、記録ヘッド１１を駆動制御するためのデータ転送手段を含むヘッド駆動制御部２０７、キャリッジ４側に設けた記録ヘッド１１を駆動するためのヘッド駆動装置であるヘッドドライバ（ドライバＩＣ）２０８と、主走査モータ５を駆動するための主走査モータ駆動部２１０と、副走査モータ３６を駆動するための副走査モータ駆動部２１１と、帯電ローラ３４にＡＣバイアスを供給するＡＣバイアス供給部２１２と、リニアエンコーダ７４、ホイールエンコーダ２３６からの検出パルス、環境温度を検出する温度センサ２１５からの検出信号、及びその他の各種センサからの検知信号を入力するためのＩ／Ｏ２１３などを備えている。また、この制御部２００には、この装置に必要な情報の入力及び表示を行なうための操作パネル２１４が接続されている。
【０１０３】
ここで、制御部２００は、パーソナルコンピュータ等の情報処理装置、イメージスキャナなどの画像読み取り装置、デジタルカメラなどの撮像装置などのホスト側からの印刷データ等をケーブル或いはネットを介してＩ／Ｆ２０６で受信する。
【０１０４】
そして、制御部２００のＣＰＵ２０１は、Ｉ／Ｆ２０６に含まれる受信バッファ内の印刷データを読み出して解析し、ＡＳＩＣ２０５にて必要な画像処理、データの並び替え処理等を行ない、この画像データをヘッド駆動制御部２０７からヘッドドライバ２０８に転送する。なお、画像出力するためのドットパターンデータの生成は、例えばＲＯＭ２０２にフォントデータを格納して行っても良いし、ホスト側のプリンタドライバで画像データをビットマップデータに展開してこの装置に転送するようにしても良い。
【０１０５】
ヘッド駆動制御部２０７は、上述した画像データをシリアルデータで転送するとともに、この画像データの転送及び転送の確定などに必要な転送クロックやラッチ信号、制御信号などをヘッドドライバ２０８に出力する以外にも、ＲＯＭ２０２に格納されてＣＰＵ２０１で読み出される駆動パルスのパターンデータをＤ／Ａ変換するＤ／Ａ変換器及び増幅器等で構成される駆動波形生成部を含み、１の駆動パルス或いは複数の駆動パルス（駆動信号）で構成される駆動波形をヘッドドライバ２０８に対して出力する。
【０１０６】
ヘッドドライバ２０８は、シリアルに入力される記録ヘッド１１の１行分に相当する画像データに基づいてヘッド駆動制御２０７から与えられる駆動波形を構成する駆動パルスを選択的に記録ヘッド１１のアクチュエータ手段（前述したヘッド構成では圧電素子１２１）に対して印加することでヘッド１１を駆動する。
【０１０７】
主走査モータ駆動部２１０は、ＣＰＵ２０１側から与えられる目標値とリニアエンコーダ７４からの検出パルスをサンプリングして得られる速度検出値に基づいて制御値を算出して内部のモータドライバを介して主走査モータ５を駆動する。
【０１０８】
同様に、副走査モータ駆動制御部２１１は、ＣＰＵ１０１側から与えられる目標値とホイールエンコーダ１３６からの検出パルスをサンプリングして得られる速度検出値に基づいて制御値を算出して内部のモータドライバを介して副走査モータ３６を駆動する。
【０１０９】
次に、ヘッド駆動制御部２０７及びヘッドドライバ２８の構成の一例について図８を参照して説明する。
ヘッド駆動制御部２０７は、上述したように、１吐出周期内に複数の駆動パルス（駆動信号）で構成される駆動波形（共通駆動波形）を生成して出力する駆動波形生成部３０１と、画像データ（印字データ）、転送クロック、ラッチ信号、滴制御信号を出力するデータ転送部３０２とを備えている。滴制御信号Ｍ０〜Ｍ３は、ヘッドドライバ２０８のアナログスイッチ３１５の開閉を滴毎に指示する信号であり、共通駆動波形の吐出周期に合わせて選択すべき波形でＨレベルに状態遷移し、非選択時にはＬレベルに状態遷移する。
【０１１０】
ヘッドドライバ２０８は、データ転送部３０２からの転送クロック（シフトクロック）及びシリアル画像データを入力するシフトレジスタ３１１と、シフトレジスタ３１１の各レジスト値をラッチ信号によってラッチするためのラッチ回路３１２と、画像データと滴制御信号Ｍ０〜Ｍ３をデコードして結果を出力するデコーダ３１３と、デコーダ３１３のロジックレベル電圧信号をアナログスイッチ３１５が動作可能なレベルへとレベル変換するレベルシフタ３１４と、レベルシフタ３１４を介して与えられるデコーダ３１３の出力でオン／オフ（開閉）されるアナログスイッチ３１５とを備えている。
【０１１１】
このアナログスイッチ３１５は、各圧電素子１２１の選択電極（個別電極）１５４に接続され、駆動波形生成部３０１からの共通駆動波形が入力されている。したがって、シリアル転送された画像データと制御信号をデコーダ３１３でデコードした結果に応じてアナログ３１６がオンにすることにより、共通駆動波形を構成する所要の駆動信号が通過して（選択されて）圧電素子１２１に印加される。
【０１１２】
次に、このヘッドドライバ２０８の動作について図９をも参照して説明する。
まず、駆動波形生成部３０１からは、図９（ａ）に示すように、一吐出周期内に、基準電位（中間電位）Ｖ１から立下り（液室容積を拡大する方向）、所定のホールド時間を経た後基準電位Ｖ１に向けて立ち上がる（液室容積を収縮する方向）、複数のパルス（駆動信号）Ｐ１、Ｐ２、Ｐ３を含む共通駆動波形を出力する。
【０１１３】
ここで、パルスＰ１、Ｐ２で２個の液滴を吐出させて飛翔中に合体させることで大滴を形成させ、また、パルスＰ２の波形要素は立下り電位をパルスＰ１よりも低くすることでパルスＰ２だけで中滴を吐出できるようにし、また、パルスＰ３の波形要素は立下り電位をパルスＰ２よりも低くし、かつ、段階的に立ち上げることで、パルスＰ３だけで小滴を吐出できるようにしている。
【０１１４】
また、駆動波形生成部３０１からは、大滴を選択するときには図９（ｂ）、（ｃ）に示すようにパルスＰ１、Ｐ２に対応する区間Ｔ１、Ｔ２でＨレベルになる大滴制御信号Ｍ０を、中滴を選択するときには図９（ｄ）、（ｅ）に示すようにパルスＰ２に対応する区間Ｔ２でＨレベルになる中滴制御信号Ｍ１を、小滴を吐出させるときには図９（ｆ）、（ｇ）に示すように区間Ｔ３でＨレベルになる小滴制御信号Ｍ２を出力する。なお、非吐出のときには図９（ｈ）に示すように電圧Ｖ１に維持される。
【０１１５】
したがって、データ転送部３０２から転送する画像データに応じて、大滴、中滴、小滴、非吐出を選択することができ、大ドット、中ドット、小ドット、ドット無し、４階調の大きさのドット、即ち多値のドットを形成することができるようになる。
【０１１６】
そこで、このインクジェット記録装置を用いて複写が禁止される文書であることを示す画像を含めた印刷画像を出力するための本発明に係る画像処理方法の手順を実行させる本発明に係るプログラムを搭載した本発明に係る画像処理装置及び本発明に係るインクジェット記録装置について以下に説明する。
【０１１７】
図１０は、本発明に係る画像処理装置と上述したインクジェット記録装置であるインクジェットプリンタとで構成した印刷システム、又は、画像処理装置と本発明に係るインクジェット記録装置で構成した印刷システムの例を示すブロック図である。
この印刷システム（画像形成システム）は、パーソナルコンピュータ（ＰＣ）などからなる１又は複数台の画像処理装置４００と、インクジェットプリンタ５００とが、所定のインターフェイス又はネットワークで接続されて構成されている。
【０１１８】
画像処理装置４００は、図１１に示すように、ＣＰＵ４０１と、メモリ手段である各種のＲＯＭ４０２やＲＡＭ４０３とが、バスラインで接続されている。このバスラインには、所定のインターフェイスを介して、ハードディスクなどの磁気記憶装置を用いた記憶装置４０６と、マウスやキーボードなどの入力装置４０４と、ＬＣＤやＣＲＴなどのモニタ４０５と、図示しないが、光ディスクなどの記憶媒体を読み取る記憶媒体読取装置が接続され、また、インターネットなどのネットワークやＵＳＢなどの外部機器と通信を行なう所定のインターフェイス（外部Ｉ／Ｆ）４０７が接続されている。
【０１１９】
画像処理装置４００が本発明に係る画像処理装置を構成するとき、記憶装置４０６には、本発明に係るプログラムを含む画像処理プログラムが記憶されている。この画像処理プログラムは、記憶媒体から記憶媒体読取装置により読み取って、あるいは、インターネットなどのネットワークからダウンロードするなどして、記憶装置４０６にインストールしたものである。このインストールにより画像処理装置４００は、以下のような画像処理を行なうために動作可能な状態となる。なお、この画像処理プログラムは、所定のＯＳ上で動作するものであってもよい。また、特定のアプリケーションソフトの一部をなすものであってもよい。
【０１２０】
ここで、画像処理装置４００側のプログラムで本発明に係る画像処理方法を実行する例について図１２の機能ブロック図を参照して説明する。
これはほとんどの画像処理を画像処理装置としてのＰＣのようなホストコンピュータで行なう場合であり、比較的安い廉価機のインクジェット記録装置で好適に用いられている構成である。
【０１２１】
画像処理装置４００（ＰＣ）側の本発明に係るプログラムであるプリンタドライバ４１１は、アプリケーションソフトなどから与えられた画像データ４１０をモニタ表示用の色空間から記録装置用の色空間への変換（ＲＧＢ表色系→ＣＭＹ表色系）を行なうＣＭＭ（Color Management Module）処理部４１２、ＣＭＹの値から黒生成／下色除去を行なうＢＧ／ＵＣＲ（black generation/ Under Color Removal）処理及び記録装置の特性やユーザーの嗜好を反映した入出力補正を行なうγ補正を行なうＢＧ／ＵＣＲ／γ補正部４１３、記録装置の解像度に合わせて拡大処理を行なうズーミング（Zooming）部４１４、画像データを記録装置から噴射するドットのパターン配置に置き換える多値・少値マトリクスを含む中間調処理部（多値・少値マトリクス）４１５、後述する原稿・地紋パターン合成部４１８から得られる印刷画像データであるドットパターンデータを各スキャン毎のデータに分割し、更に記録を行なう各ノズル位置に合わせてデータ展開するラスタライジング部４１６を含み、ラスタライジング部４１６の出力４１７をインクジェットプリンタ５００に送出する。
【０１２２】
さらに、このプリンタドライバ４１１は、上述した画像データ４１０で示される原稿となる画像に画像処理を行ってインクジェット記録装置５００で出力可能な多値のドットに応じたデータに変換された中間調処理部４１５から出力される原稿画像データと、地紋パターン生成部４１９で生成された複写を禁止する文書であることを示す画像パターン（以下「地紋パターン」という。）の多値のドットに応じたデータとを重ね合わせて合成する手段としての原稿・地紋パターン合成部４１８を有する。この原稿・地紋パターン合成部４１８によってインクジェットプリンタ５００で出力可能な多値のドットに応じた原稿画像データと地紋パターンのデータとを合成することにより、インクジェットプリンタ５００で出力可能な多値のドットに応じた印刷画像データを生成する。
【０１２３】
つまり、原稿となる画像に画像処理を行ってインクジェット記録装置で出力可能な多値のドットに応じた原稿画像データに変換し、この原稿画像データと複写を禁止する文書であることを示す画像パターン（地紋パターン）の多値のドットに応じたデータとを重ね合わせてインクジェット記録装置で印刷出力可能な多値のドットに応じた印刷画像データを生成することで、インクジェット記録装置で複写されたときに複写物であることを判別可能な印刷出力を行なうことができる。
【０１２４】
次に、主としてインクジェットプリンタ５００側で本発明に係る画像処理方法を実行し、一部を画像処理装置４００側が分担して実行する例について図１３の機能ブロック図を参照して説明する。
これは、高速で処理することができるため、高速機で好適に用いられている構成である。
【０１２５】
画像処理装置４００（ＰＣ）側のプリンタドライバ４２１は、アプリケーションソフトなどから与えられた画像データ４１０をモニタ表示用の色空間から記録装置用の色空間への変換（ＲＧＢ表色系→ＣＭＹ表色系）を行なうＣＭＭ（Color Management Module）処理部４２２、ＣＭＹの値から黒生成／下色除去を行なうＢＧ／ＵＣＲ（black generation/ Under Color Removal）処理及び記録装置の特性やユーザーの嗜好を反映した入出力補正を行なうγ補正を行なうＢＧ／ＵＣＲ／γ補正部４２３とを有し、このＢＧ／ＵＣＲ／γ補正部４２３で生成した原稿となる画像データをインクジェットプリンタ５００に送出する。
【０１２６】
一方、インクジェットプリンタ５００のプリンタコントローラ５１１（制御部２００）は、記録装置の解像度に合わせて拡大処理を行なうズーミング（Zooming）部５１４、画像データを記録装置から噴射するドットのパターン配置に置き換える多値・少値マトリクスを含む中間調処理部（多値・少値マトリクス）５１５、後述する原稿・地紋パターン合成部５１８から得られる印刷画像データのドットパターンデータを各スキャン毎のデータに分割し、更に記録を行なう各ノズル位置に合わせてデータ展開するラスタライジング部５１６を含み、ラスタライジング部５１６の出力をヘッド制御部２０７に与える。
【０１２７】
さらに、このプリンタコントローラ５１１は、画像処理装置４００から入力された画像データで示される原稿となる画像に画像処理を行って出力可能な多値ドットに応じたデータに変換された中間調処理部５１５から出力される原稿画像データと、地紋パターン生成部５１９で生成された複写を禁止する文書であることを示す画像パターンの多値のドットに応じたデータとを重ね合わせて合成する手段としての原稿・地紋パターン合成部５１８を有する。この原稿・地紋パターン合成部５１８によって出力可能な多値のドットに応じた原稿画像データと地紋パターンのデータを合成することで出力可能な多値のドットに応じた印刷画像データを生成する。
【０１２８】
つまり、インクジェット記録装置は、入力された原稿となる画像と予め作成された複写を禁止する文書であることを示す画像パターンとを合成する手段と、この合成した画像に画像処理を行って多値のドットに応じた印刷画像データを生成する手段とを備えているので、複写されたときに複写物であることを判別可能な印刷出力を行なうことができる。
【０１２９】
本発明に係る画像処理方法は、図１２及び図１３のいずれの構成であっても好適に適用することができる。ここでは、図１２に示す構成のように、インクジェット記録装置側では、装置内に画像の描画又は文字のプリント命令を受けて実際に記録するドットパターンを発生する機能を持たない例で説明する。すなわち、ホストとなる画像処理装置４００で実行されるアプリケーションソフトなどからのプリント命令は、画像処理装置４００（ホストコンピュータ）内にソフトウェアとして組み込まれたプリンタドライバ４１１で画像処理されてインクジェットプリンタ５００が出力可能な多値のドットパターンのデータ（印刷画像データ）が生成され、それがラスタライズされてインクジェットプリンタ５００に転送され，インクジェットプリンタ５００が印刷出力される例で説明する。
【０１３０】
具体的には、画像処理装置４００（ホストコンピュータ）内で、アプリケーションソフト（例えば、Microsoft社製のWordやExcel（いずれも登録商標）などがあるが、特にこれらに限ったものではない。）を用いて、帳票や文書などの原稿が作成される。アプリケーションやオペレーティングシステムからのこの原稿画像に対する印刷命令により、ホストコンピュータ内のプリンタドライバ４１１は、インクジェットプリンタ５００で印刷出力するために、上述したように、ＣＭＭ、ＢＧ／ＵＣＲ、Zooming、γ変換、多値・少値マトリクス処理といった画像処理を施し、インクジェットプリンタ５００で再現できるドットサイズ情報からなる原稿画像の描画データを作成する。
【０１３１】
すなわち、インクジェットプリンタでは、印刷画像の品質に応じて打ち方や解像度、使用するドットサイズが異なり、１つの印刷モードでｎ種類のドットサイズが変更可能である。したがって、描画データとしてはｎ値を表すデータとなる。上述したインクジェット記録装置に係るインクジェットプリンタ５００では、１つの印刷モードで使用するドットサイズは４値である。これは、噴射するインク滴の大きさ（滴体積）を、すべての噴射周波数に対してそれほど精度良くコントロールすることが困難であること、多値のドットを表わすためのデータのビット数が多くなることで、画像処理を行なう速度が遅くなることなどから、４値以下にしている。したがって、ここでは、原稿となる画像を原稿画像データに変換する画像処理を行った後のデータは、４値のドットの情報を有する描画データとなり、２ビットで表わすことができる。
【０１３２】
一方、地紋パターンは、地紋パターン生成部４１９で作成する。地紋パターン生成部４１９では、インクジェットプリンタ５００で再現できるドットサイズ情報からなる地紋パターン（画像パターン）を生成する。つまり、ここでは、地紋パターンのデータと原稿から作られた描画データとで使用するデータのインクジェットプリンタ５００のドットサイズに対する値は同じものである。例えば、２ビット（bit１、bit０）で４値のドットを表現する場合、（bit１、bit０）がそれぞれ、（００）で非印字、（０１）で小滴、（１０）で中滴、（１１）で大滴を表わすデータとする。
【０１３３】
地紋パターンのドットパターンは、一例を挙げると、図１４に示すように、一定のドットサイズ、配置密度のドットからなるドットパターンである。この地紋パターンは、印刷出力時に複写を禁止する文書であることを示す文字を表わすためのドット径のドット６０１と、背景を表わすためのドット径のドット６０２で形成され、背景を表わすドット６０２は記録密度で定まるドット位置毎に形成し、複写を禁止する文書であることを示す文字を表わすドット６０１は主走査方向及び副走査方向とも１ドット位置を空けて形成したものである。
【０１３４】
つまり、地紋パターンは、印刷出力時に少なくとも２つの異なるドットサイズで形成されるパターンであり、これにより、複写を禁止する文書であることを示す文字などのマーク部と背景部とを印刷出力することができる。この場合、地紋パターンは、上記のように、少なくとも２つの異なるドットサイズ及び配列密度で形成されるパターンとすることでもでき、これによっても、複写を禁止する文書であることを示す文字などのマーク部と背景部とを印刷出力することができる
【０１３５】
また、地紋パターンを形成するドットサイズについて、地紋パターンが画像形成（印刷出力）された用紙などの被記録媒体を原稿として、複写機のスキャナで読み取ったときに、その読み取った画像データ中において、複写を禁止する文書であることを示す文字を表わすためのドット６０１の検知が可能であり、かつ、背景部のドット６０２が検知されないドット径を選択する。
【０１３６】
すなわち、地紋パターンのドットは、複写機で複写した際に再現されやすいサイズの大滴ドットとし、複写機で複写した際に再現されにくいサイズで、大滴ドットより相対的に小さいドットとする。ここで、複写機で複写した際の再現されやすさとは、主に複写機の解像度との関係で、スキャナで的確に読み取ることができて画像形成しやすいようなサイズのドットか、しにくいサイズのドットかを示すものである。また、複写機に画像のノイズ除去処理の機能を備えているかなど、さまざまな要因により、複写機で複写した際の再現されやすさが定まる。
【０１３７】
これらの２つのドットサイズのドットパターン（大滴ドットのパターンと、それより小さい滴のドットパターン）は、単位面積あたりの黒画素濃度がほぼ等しくなっており、並べて配置した場合、人間の目には一様に見える。これにより、複写機で複写することで、マーク部と原稿のみがスキャナで検知され、複写を禁止する文書であることを示す文字と原稿のみが複写物に印刷され、複写が禁止されている原稿の画像であると判断することができる。
【０１３８】
また、２つのドットサイズのドットは一色とすることによって、印刷出力された時にマーク部と背景部との区別がつきにくくなる。
【０１３９】
このような地紋パターンと原稿画像を印刷した印刷物を複写した場合の例について図１５を参照して説明する。
図１５（ａ）はインクジェットプリンタ５００で印刷出力された印刷画像、同図（ｂ）は同印刷画像を複写した後の複写画像を示している。同図（ａ）に示すように、インクジェットプリンタ５００で印刷出力された印刷画像には、原稿部以外の余白部分一面に地紋パターンの画像６００がインクジェットプリンタ５００によって形成されている。この地紋パターンは、前述したように２種類の滴サイズで形成されている。これを複写することで、大滴で形成されたドットのみが複写機で検知され、原稿画像とともに用紙に記録され、同図（ｂ）に示すように、複写物であることを示す文字（この場合、「複写禁止」の文字６０１）が顕現して、当該複写物が複写を禁止された文書の複写物であることを判別できるようになる。
【０１４０】
次に、地紋パターン生成部４１９による地紋パターンデータの生成処理についてより詳細に説明する。画像処理装置４００において、地紋パターンのデータは所定のメモリ等の記憶装置４０６に保持されている。ＣＰＵ４０１は、この地紋パターンのデータを記憶装置４０６から読み出し、印刷物の文書サイズ全面に描くように地紋パターンのデータのサイズを調整し、文書全面サイズの地紋パターンのインクジェットプリンタ５００で出力可能な多値のドットに応じたデータを生成する。 
【０１４１】
そして、プリンタドライバ４１１の原稿・地紋パターン合成部４１８によって、地紋パターンのデータは原稿画像データ（原稿文書）と合成される。
【０１４２】
この合成処理は、例えば、原稿画像データは多値（たとえば２ビット）のデータであり、地紋パターンのデータも同じ多値のデータである。原稿画像データでは、非印字を示すデータは（bit１、bit０）が（００）である。したがって、原稿画像データが、この（００）である場合にのみ、地紋パターンデータとＯＲ処理（どちらかのbitが「１」であれば合成後も「１」とする。）を行なうことで、原稿画像の非印字部で地紋パターンデータが多値のドットのデータの場合に、非印字部が多値の画像データ（印字データ）に変わる。
【０１４３】
その後、インクジェットプリンタ５００のヘッドの構成に応じて、ラスタライジング部２１６でラスタライジングされ、データの縦横変換やノズルの配置に応じたディレイを持たせた印刷画像データとして、インターフェースを経由してインクジェットプリンタ５００へ転送され、インクジェットプリンタ５００は転送された印刷画像データをラスタデータメモリに保存し、所定のデータを受け取った後に、印刷画像データに応じて記録ヘッド１１を駆動して被記録媒体（用紙）２２に原稿画像と地紋パターンを印刷した画像を印刷する。
【０１４４】
次に、このようにしてインクジェットプリンタ５００から印刷出力された機密出力画像を複写する複写機について説明する。
前述したように、印刷出力原稿画像は、この原稿画像が複写等されると、地紋ドットパターンの一部が浮かび上がる。前述した図１５に示す例では、「複写禁止」という文字６０１が浮かび上がる。このように、地紋ドットパターンが埋め込まれた原稿画像が複写されると、地紋ドットパターンにおいて文字領域と背景領域との何れか一方が浮かび上がるのは、一方の領域が再現しやすく、他方の領域が再現されにくいからである。言い換えると、浮かび上がらない方の領域が消えることによって、残った方の領域が浮かび上がって見えるわけである。
【０１４５】
このような現象を生じさせる地紋パターンは、上述したように、大きさが異なる二種類のドットの集合によって構成されている。つまり、これら二種類のドットのうち、小さなドットは再現されにくく、大きなドットは再現される。インクジェットプリンタの場合、ドットは再現するのに必要な大きさのドット径である必要があり、また、小さいドットは再現されない径のドット径である必要がある。インクジェットプリンタでは、この２つのドット径を、前述したように、圧電素子に与える駆動波形のエネルギーを変更して実現している。
【０１４６】
本発明者らは、インクジェット記録における多値のドットサイズで必要なドット径を決定するため、前述したインクと圧電素子を含む記録ヘッドを搭載したインクジェットプリンタを製作し、ドット径を振って、普通紙に印刷を行い、地紋パターンを埋め込むことで、ドットの再現実験を行った。
【０１４７】
この再現実験の条件は、次のとおりである。
〔インクジェットプリンタ〕
ノズル配列ピッチ：３００ｄｐｉ
ノズル数：３８４ノズル／色×４色（ＹＭＣＫ）
画像解像度：３００ｄｐｉ、６００ｄｐｉ
ドット径：４０、６０、７０、８０、９０、１２０、１４０μｍ（駆動パルス数、駆動電圧によって可変する。）
作成画像色：（１次色）Ｋ、Ｃ、Ｍ、Ｙ
（２次色）Ｒ、Ｇ、Ｂ
【０１４８】
この結果、Ｋ，Ｃ，Ｍ，Ｒ，Ｇ，Ｂの色において、８０μｍ以上のドット径であれば、地紋の文字パターンが再現され、９０μｍ以上のときかすれがなくほぼ全域に地紋のマークが再現できた。
【０１４９】
したがって、ドット径の大きさとしては、本発明者らの実験から、８０μm以上のドット径が必要であり、さらに確実にドットを再現するためには、９０μｍ以上のドット径が必要である。イエロー（Ｙ）については、最大の１４０μｍのドット径を用いても、再現することができなかった。一方、地肌汚れなどを起こさずに確実にドットを再現させないためには、６０μｍ以下が必要である。よって、本発明に係る画像処理装置と、インクジェットプリンタで再現できるドット径を、このドット径となるように、駆動電圧を設定する。
【０１５０】
次に、本発明に係る他の画像処理方法、プログラム及び画像処理装置について図１６を参照して説明する。この例も、ほとんどの画像処理をＰＣのようなホストコンピュータで行なう場合であり、インクジェットプリンタが比較的安い廉価機であるときに好適に用いることができる構成である。
【０１５１】
ここで、画像処理装置４００（ＰＣ）側の本発明に係るプログラムであるプリンタドライバ４３１は、アプリケーションソフトなどから与えられた原稿となる画像データ４１０と、地紋パターン生成部４３９からの地紋パターンの画像データ（原稿と同じ画像データである。）とを合成する原稿・地紋パターン合成部４３８を有している。
【０１５２】
そして、この原稿・地紋パターン合成部４３８から出力される画像データに対して、モニタ表示用の色空間から記録装置用の色空間への変換（ＲＧＢ表色系→ＣＭＹ表色系）を行なうＣＭＭ（Color Management Module）処理部４３２、ＣＭＹの値から黒生成／下色除去を行なうＢＧ／ＵＣＲ（black generation/ Under Color Removal）処理及び記録装置の特性やユーザーの嗜好を反映した入出力補正を行なうγ補正を行なうＢＧ／ＵＣＲ／γ補正部４３３、記録装置の解像度に合わせて拡大処理を行なうズーミング（Zooming）部４３４、画像データを記録装置から噴射するドットのパターン配置に置き換える多値・少値マトリクスを含む中間調処理部（多値・少値マトリクス）４３５、ドットパターンデータを各スキャン毎のデータに分割し、更に記録を行なう各ノズル位置に合わせてデータ展開するラスタライジング部４３６を含み、ラスタライジング部４３６の出力を印刷画像データ４３７としてインクジェットプリンタ５００に送出する。
【０１５３】
つまり、具体的には、画像処理装置４００としてのホストコンピュータ（ＰＣ）内で、アプリケーションソフト（例えば、Microsoft社製のWordやExcel（いずれも登録商標）などがあるが、特にこれらに限ったものではない。）を用いて、帳票や文書などの原稿が作成される。アプリケーションやオペレーティングシステムからのこの原稿画像に対する印刷命令により、ホストコンピュータ内のプリンタドライバ５３１は、地紋パターン生成部５３９によって地紋パターンを形成する。このとき形成する地紋パターンのデータは、前述した地紋パターンのデータと異なり、原稿と同じ画像データ（通常８ビットデータ）である。この地紋パターンの画像データと、原稿画像データがまず合成され、原稿の余白部に地紋パターンが埋め込まれた、画像データが作成される。
【０１５４】
その後、インクジェットプリンタ５００で印刷出力するために、ＣＭＭ、ＢＧ／ＵＣＲ、Zooming、γ変換、多値・少値マトリクス処理といった画像処理を施し、インクジェットプリンタ５００で再現できるドットサイズ情報からなる描画データを作成する。したがって、地紋パターンにも画像処理がかかるため、地紋パターンの画像データとしては、画像処理がかかった後でも、地紋の文字と背景となるドットのサイズが再現されるような値を、あらかじめ設定しておき、その値で画像を作成することとなる。
【０１５５】
最終的には、インクジェットプリンタ５００では、印刷画像の品質に応じて打ち方や解像度、使用するドットサイズが異なり、１つの印刷モードでｎ種類のドットサイズが変更可能である。したがって、描画データとしてはｎ値を表すデータとなる。
【０１５６】
すなわち、インクジェットプリンタでは、印刷画像の品質に応じて打ち方や解像度、使用するドットサイズが異なり、１つの印刷モードでｎ種類のドットサイズが変更可能である。したがって、描画データとしてはｎ値を表すデータとなる。上述したインクジェット記録装置に係るインクジェットプリンタ５００では、１つの印刷モードで使用するドットサイズは４値である。これは、噴射するインク滴の大きさ（滴体積）を、すべての噴射周波数に対してそれほど精度良くコントロールすることが困難であること、多値のドットを表わすためのデータのビット数が多くなることで、画像処理を行なう速度が遅くなることなどから、４値以下にしている。したがって、ここでは、原稿について原稿画像データに変換する画像処理を行った後のデータは、４値のドットの情報を有する描画データとなり、２ビットで表わすことができる。
【０１５７】
ここでも、地紋パターンのドットパターンは、前述した図１４に示すように、一定のドットサイズ、配置密度のドットからなるドットパターンである。この地紋パターンは、印刷出力時に複写を禁止する文書であることを示す文字を表わすためのドット径のドット６０１と、背景を表わすためのドット径のドット６０２で形成され、背景を表わすドット６０２は記録密度で定まるドット位置毎に形成し、複写を禁止する文書であることを示す文字を表わすドット６０１は主走査方向及び副走査方向とも１ドット位置を空けて形成したものである。
【０１５８】
つまり、地紋パターンは、印刷出力時に少なくとも２つの異なるドットサイズで形成されるパターンであり、これにより、複写を禁止する文書であることを示す文字などのマーク部と背景部とを印刷出力することができる。この場合、地紋パターンは、上記のように、少なくとも２つの異なるドットサイズ及び配列密度で形成されるパターンとすることでもでき、これによっても、複写を禁止する文書であることを示す文字などのマーク部と背景部とを印刷出力することができる
【０１５９】
また、地紋パターンを形成するドットサイズについて、地紋パターンが画像形成（印刷出力）された用紙などの被記録媒体を原稿として、複写機のスキャナで読み取ったときに、その読み取った画像データ中において、複写を禁止する文書であることを示す文字を表わすためのドット６０１の検知が可能であり、かつ、背景部のドット６０２が検知されないドット径を選択する。
【０１６０】
すなわち、地紋パターンのドットは、複写機で複写した際に再現されやすいサイズの大滴ドットとし、複写機で複写した際に再現されにくいサイズで、大滴ドットより相対的に小さいドットとする。ここで、複写機で複写した際の再現されやすさとは、主に複写機の解像度との関係で、スキャナで的確に読み取ることができて画像形成しやすいようなサイズのドットか、しにくいサイズのドットかを示すものである。また、複写機に画像のノイズ除去処理の機能を備えているかなど、さまざまな要因により、複写機で複写した際の再現されやすさが定まる。
【０１６１】
これらの２つのドットサイズのドットパターン（大滴ドットのパターンと、それより小さい滴のドットパターン）は、単位面積あたりの黒画素密度がほぼ等しくなっており、並べて配置した場合、人間の目には一様に見える。これにより、複写機で複写することで、複写を禁止する文書であることを示す文字と原稿のみが複写物に印刷され、複写が禁止されている原稿の画像であると判断することができる。
【０１６２】
なお、以上述べてきたような画像処理方法に係る手順をコンピュータに実行させるプログラムを備えることで、複写を禁止する文書であることを示す文字やパターンの入れ換えを容易に行なうことができる。
【０１６３】
このように、複写を禁止する文書であることを示す画像のパターンを入れて目的の画像を被記録媒体上に形成する場合に、予め複写を禁止する文書であることを示す画像のパターンが印刷してある専用紙などを被記録媒体として用意しなくても、合成後の画像データの出力先で画像形成できるので、用紙の入れ替えや、用紙カセットの選択などの煩雑な作業を省くことができる。また、目的の画像と複写を禁止する文書であることを示す画像のパターンとをあらかじめ重ね合わせて合成してから画像形成できるので、画像形成後の文書が読みづらくなることもない。
【図面の簡単な説明】
【０１６４】
【図１】多値ドットを形成可能なインクジェット記録装置の一例を示す機構部の全体構成を説明する側面説明図である。
【図２】同機構部の平面説明図である。
【図３】同インクジェット記録装置の記録ヘッド構成の一例を示す説明図である。
【図４】同じく記録ヘッド構成の他の例を示す説明図である。
【図５】同じく記録ヘッド構成する液滴吐出ヘッドの一例を示す液室長手方向に沿う断面説明図である。
【図６】同じく記録ヘッド構成する液滴吐出ヘッドの一例を示す液室短手方向に沿う断面説明図である。
【図７】同インクジェット記録装置における制御部の概要を説明するブロック説明図である。
【図８】同制御部におけるヘッド制御部及びヘッドドライバの一例を説明するブロック説明図である。
【図９】同ヘッド制御部及びヘッドドライバの動作説明に供する説明図である。
【図１０】本発明に係る画像処理装置とインクジェット記録装置とで構成される印刷システムの構成図である。
【図１１】同画像処理装置のブロック説明図である。
【図１２】同印刷システムにおける画像処理に関するプログラムの説明に供する機能ブロック図である。
【図１３】同印刷システムにおける画像処理に関するプログラムの他の構成例の説明に供する機能ブロック図である。
【図１４】地紋パターンの説明に供する説明図である。
【図１５】地紋パターンを含む印刷物とその複写物の説明に供する説明図である。
【図１６】同印刷システムにおける画像処理に関するプログラムの更に他の構成例の説明に供する機能ブロック図である。
【符号の説明】
【０１６５】
４…キャリッジ
５…主走査モータ
１１…記録ヘッド
１１ｋ、１１ｃ、１１ｍ、１１ｙ…ヘッド
２２…被記録媒体（用紙）
３１…搬送ベルト
３２…搬送ローラ
３６…副走査モータ
１２１…圧電素子
２００…制御部
２０７…ヘッド制御部
２０８…ヘッドドライバ
４００…画像処理装置
４１１、４３１…プリンタドライバ
４１８、４３８…原稿・地紋パターン合成部
４１９、４３９…地紋パターン生成部
５００…インクジェット記録装置
５１１…プリンタコントローラ
５１８…原稿・地紋パターン合成部
５１９…地紋パターン生成部
【図１】
2006261876.tif 000003
【図２】
2006261876.tif 000004
【図３】
2006261876.tif 000005
【図４】
2006261876.tif 000006
【図５】
2006261876.tif 000007
【図６】
2006261876.tif 000008
【図７】
2006261876.tif 000009
【図８】
2006261876.tif 000010
【図９】
2006261876.tif 000011
【図１０】
2006261876.tif 000012
【図１１】
2006261876.tif 000013
【図１２】
2006261876.tif 000014
【図１３】
2006261876.tif 000015
【図１４】
2006261876.tif 000016
【図１５】
2006261876.tif 000017
【図１６】
2006261876.tif 000018